(57)【特許請求の範囲】
【請求項１】
衣服用ハンガーを吊下可能な吊下部材と、該吊下部材を建物のドアーや長押等の掛部材の上縁部に引掛保持可能な保持機構とからなり、上記吊下部材は合成樹脂からなる縦杆部及びその前方に一体に突出する吊下体からなり、該吊下体に複数個の衣服用ハンガーを前後に吊下保持可能な複数個の掛溝部が形成され、上記保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなることを特徴とする衣服用ハンガー掛け具。
【請求項２】
衣服用ハンガーを吊下可能な二個の吊下部材と、該二個の各吊下部材を建物のドアーや長押等の掛部材の上縁部に対向状に引掛保持可能な保持機構とからなり、上記二個の各吊下部材は合成樹脂からなる縦杆部及びその前方に一体に突出する吊下体からなり、上記保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなり、該対向する二個の各吊下部材の各吊下体の対向面に差込係止穴を形成し、該各差込係止穴に吊下杆の両端部を差込係止して各吊下体の間に吊下杆を架設してなることを特徴とする衣服用ハンガー掛け具。
【発明の詳細な説明】
【０００１】
【発明の属する技術分野】
本発明は例えば複数個の衣服用ハンガーをドアーや長押等に引掛保持する際に用いられる衣服用ハンガー掛け具に関するものである。
【０００２】
【従来の技術】
従来この種の衣服用ハンガー掛け具として、例えば、ドアーや長押等の掛部材の上縁部に吊下可能な上吊下部と衣服用ハンガーを吊下可能な下吊下部とをＳ字状に一体に形成してなる構造のものが知られている。
【０００３】
【発明が解決しようとする課題】
しかしながら上記従来構造の場合、掛部材に上吊下部を引掛けるだけであるため、掛部材から外れ易く、又、複数個の衣服用ハンガーを掛けることができない構造となっているので、ドアーや長押等の掛部材に沿って複数個のハンガー掛け具を吊下し、このハンガー掛け具に衣服用ハンガーを掛けることになり、それだけ、繁雑となって、室内の美観を低下させることになると共に経済性を低下させることがあるという不都合を有している。
【０００４】
【課題を解決するための手段】
本発明はこのような課題を解決することを目的とするもので、本発明のうちで、請求項１記載の発明は、衣服用ハンガーを吊下可能な吊下部材と、該吊下部材を建物のドアーや長押等の掛部材の上縁部に引掛保持可能な保持機構とからなり、上記吊下部材は合成樹脂からなる縦杆部及びその前方に一体に突出する吊下体からなり、該吊下体に複数個の衣服用ハンガーを前後に吊下保持可能な複数個の掛溝部が形成され、上記保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなることを特徴とする衣服用ハンガー掛け具にある。
【０００５】
又、請求項２記載の発明は、衣服用ハンガーを吊下可能な二個の吊下部材と、該二個の各吊下部材を建物のドアーや長押等の掛部材の上縁部に対向状に引掛保持可能な保持機構とからなり、上記二個の各吊下部材は合成樹脂からなる縦杆部及びその前方に一体に突出する吊下体からなり、上記保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなり、該対向する二個の各吊下部材の各吊下体の対向面に差込係止穴を形成し、該各差込係止穴に吊下杆の両端部を差込係止して各吊下体の間に吊下杆を架設してなることを特徴とする衣服用ハンガー掛け具にある。
【０００６】
【発明の実施の形態】
図１乃至図９は本発明の実施の形態例を示し、図１乃至図５は第一形態例、図６乃至図９は第二形態例である。
【０００７】
図１乃至図５の第一形態例において、１は吊下部材であって、合成樹脂製にして、縦杆部１ａとその下部前方に突出する吊下体１ｂとを一体に形成し、衣服用ハンガーＫを吊下可能に形成され、この吊下部材１を建物のドアーや長押等の掛部材Ｄの上縁部に引掛保持可能な保持機構２を備えている。
【０００８】
この保持機構２は、上記吊下部材１の後部に形成され、上記掛部材Ｄの前面部分に当接可能な当接保持面１ｃと、ステンレス製等の金属製にして、この吊下部材１の後上部に取り付けられ、吊下部材１に取付可能な取付部片３ａ及び上記掛部材Ｄの上面に当接可能な吊下保持片３ｂ並びに掛部材Ｄの後面部分に弾圧当接可能な弾圧保持片３ｃからなる板バネ状の挟持部材３とからなり、この挟持部材３の弾圧保持片３ｃに弧状弾圧面３ｃを形成し、上記吊下部材１の後部に差込穴１ｄを形成すると共にその下方位置に係止凸部１ｅを形成し、上記取付部片３ａの下端部に折返折曲形成し、上記差込穴１ｄに取付部片３ａを挿通し、取付部片３ａの下端部を係止凸部１ｅに係止して抜脱を防いで取付けるように構成している。
【０００９】
この場合、上記吊下部材１の吊下体１ｂに複数個の衣服用ハンガーＫを前後に吊下保持可能な複数個の掛溝部１ｆを形成して構成している。
【００１０】
この実施の第一形態例は上記構成であるから、建物のドアーや長押等の掛部材Ｄの上縁部に吊下部材１を保持機構２により吊下保持し、この吊下部材１に衣服Ｗを吊下可能な衣服用ハンガーＫを吊下することになり、この保持機構２は、上記吊下部材１の後部に形成され、上記掛部材Ｄの前面部分に当接可能な当接保持面１ｃと、吊下部材１の後上部に取り付けられ、吊下部材１に取付可能な取付部片３ａ及び上記掛部材Ｄの上面に当接可能な吊下保持片３ｂ並びに掛部材Ｄの後面部分に弾圧当接可能な弾圧保持片３ｃからなる挟持部材３とからなるので、吊下部材１を掛部材Ｄに確実に吊下保持することができる。
【００１１】
又、この場合、上記挟持部材３の弾圧保持片３ｃに弧状弾圧面３ｄを形成してなるから、掛部材Ｄを当接保持面１ｃと弧状弾圧面３ｄとにより確実に挟持することができ、又、この場合、上記吊下部材１に前方に突出する吊下体１ｂを形成し、吊下体１ｂに複数個の衣服用ハンガーＫを前後に吊下保持可能な複数個の掛溝部１ｆを形成してなるから、複数個の衣服用ハンガーＫを前後に並列状に整然と掛けることができ、室内の美観が損なわれることを防ぐことができ、又、この場合、上記吊下部材１は合成樹脂からなると共に上記挟持部材３は金属からなるので、一層確実に吊下保持することができる。
【００１２】
図６乃至図９の第二形態例は別例構造を示し、この場合、衣服用ハンガーを吊下可能な二個の吊下部材４・４と、各吊下部材４・４を建物のドアーや長押等の掛部材の上縁部に引掛保持可能な上記第一形態例と同一構造の保持機構２と、二個の吊下部材４・４の間に架設可能なステンレスパイプ等の金属からなる吊下杆５とから構成されている。
【００１３】
この場合、上記吊下部材４・４は、合成樹脂製にして、縦杆部４ａとその下部前方に突出する吊下体４ｂとを一体に形成し、この縦杆部４ａの上部と吊下体４ｂの前端部との間に架設形成された斜杆部４ｃからなり、吊下部材４の後部に掛部材Ｄの前面部分に当接可能な当接保持面４ｄを形成し、上記吊下部材１の後部に差込穴４ｅを形成すると共にその下方位置に係止凸部４ｆを形成し、上記取付部片３ａの下端部を折返折曲形成し、上記差込穴４ｄに取付部片３ａを挿通し、取付部片３ａの下端部を係止凸部１ｅに係止して抜脱を防いで取付けるように構成している。
【００１４】
又、この場合、各吊下部材４・４の前端部の対向面に差込係止穴４ｇ・４ｇを形成し、この差込係止穴４ｇ・４ｇ内に吊下杆５の両端部を圧入係止して吊下部材４・４の間に吊下杆５を架設するように構成している。
【００１５】
この第二形態例は上記構成であるから、建物のドアーや長押等の掛部材Ｄの上縁部に各吊下部材４・４を保持機構２により吊下保持し、吊下部材４・４の間に架設された吊下杆５に複数個の衣服用ハンガーＷを吊下することになり、この保持機構２は上記第一形態例と同様な構造であるから、吊下部材１を掛部材Ｄに確実に吊下保持することができ、複数個の衣服用ハンガーＫを左右に並列状に整然と掛けることができ、室内の美観が損なわれることを防ぐことができ、又、この場合、上記吊下部材４・４は合成樹脂からなると共に上記挟持部材３・３は金属からなるので、一層確実に吊下保持することができる。
【００１６】
尚、本発明は上記実施の形態例に限られるものではなく、吊下部材１・４、挟持部材３の大きさや形状、保持機構２の構造等は適宜変更して設計される。
【００１７】
【発明の効果】
本発明は上述の如く、請求項１記載の発明にあっては、建物のドアーや長押等の掛部材の上縁部に合成樹脂からなる縦杆部及びその前方に一体に突出する吊下体からなる吊下部材を保持機構により吊下保持し、この吊下体に形成された複数個の掛溝部に複数個の衣服用ハンガーを前後に吊下保持することになり、この保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなるので、吊下部材を掛部材に確実に吊下保持することができ、かつ、上記挟持部材の弾圧保持片に弧状弾圧面を形成してなるから、掛部材を当接保持面と弧状弾圧面とにより確実に挟持することができ、更に、複数個の掛溝部により複数個の衣服用ハンガーを前後に並列状に整然と掛けることができ、室内の美観が損なわれることを防ぐことができる。
【００１８】
又、請求項２記載の発明にあっては、建物のドアーや長押等の掛部材の上縁部に合成樹脂からなる縦杆部及びその前方に一体に突出する吊下体からなる吊下部材を保持機構により二個対向状に吊下保持し、この対向する二個の各吊下部材の各吊下体の対向面に形成された差込係止穴に吊下杆の両端部を差込係止して各吊下体の間に吊下杆を架設し、この吊下杆に複数個の衣服用ハンガーを左右に並列状に吊下保持することになり、この保持機構は、上記吊下部材の後部に形成され、上記掛部材の前面部分に当接可能な当接保持面と、該吊下部材の後上部に取り付けられ、該吊下部材に取付可能な取付部片及び上記掛部材の上面に当接可能な吊下保持片並びに該掛部材の後面部分に弾圧当接可能な弧状弾圧面をもつ弾圧保持片からなる金属製の挟持部材とからなるので、吊下部材を掛部材に確実に吊下保持することができ、かつ、挟持部材の弾圧保持片に弧状弾圧面を形成してなるから、掛部材を当接保持面と弧状弾圧面とにより確実に挟持することができ、更に、二個の各吊下部材の各吊下体の間に架設された吊下杆に複数個の衣服用ハンガーを左右に並列状に吊下保持することができる。
【００１９】
以上、所期の目的を充分達成することができる。
【図面の簡単な説明】
【図１】  本発明の実施の第一形態例の斜視図である。
【図２】  本発明の実施の第一形態例の部分断面図である。
【図３】  本発明の実施の第一形態例の部分正断面図である。
【図４】  本発明の実施の第一形態例の部分分解斜視図である。
【図５】  本発明の実施の第一形態例の使用状態図である。
【図６】  本発明の実施の第二形態例の斜視図である。
【図７】  本発明の実施の第二形態例の部分断面図である。
【図８】  本発明の実施の第二形態例の分解斜視図である。
【図９】  本発明の実施の第二形態例の使用状態図である。
【符号の説明】
Ｗ  衣服
Ｋ  衣服用ハンガー
Ｄ  掛部材
１  吊下部材
１ｂ  吊下体
１ｃ  当接保持面
１ｆ  掛溝部
２  保持機構
３  挟持部材
３ａ  取付部片
３ｂ  吊下保持片
３ｃ  弾性保持片
３ｄ  弧状弾圧面
４  吊下部材
４ｂ  吊下体
４ｄ  当接保持面
５  吊下杆
【図１】
0003684959.tif 000002
【図２】
0003684959.tif 000003
【図３】
0003684959.tif 000004
【図４】
0003684959.tif 000005
【図５】
0003684959.tif 000006
【図６】
0003684959.tif 000007
【図７】
0003684959.tif 000008
【図８】
0003684959.tif 000009
【図９】
0003684959.tif 000010